(57)【要約】【目的】低コストで効率的に天然マイナスイオンを放出する遠赤外線暖房器を提供する。【構成】遠赤外線暖房器３０は、筺体１の下部に吸気口１１、筺体の上部に排気口１２が設けられ、ヒータパネルユニット２の遠赤外線放射板の背面側に前記吸気口１１から前記排気口１２に至る通気路１３と、前記通気路１３に面する遮熱板１０が立設されるとともに前記遮熱板１０の表面にトルマリンを主原料とするマイナスイオン発生塗料１５が塗着されており、前記ヒータ７の加熱で発生する下から上への空気の自然対流によって遮熱板１０の表面の前記マイナスイオン発生塗料１５から熱ストレスで大量に発生するマイナスイオン（−）が筺体１の上部の排気口１２から放出される構造である。【選択図】      図１
2004183924.tif 000002
【特許請求の範囲】
【請求項１】
筺体に立設された遠赤外線放射板をヒータで加熱して遠赤外線を放射する遠赤外線暖房器において、
筺体下部に吸気口、筺体上部に排気口が設けられ、前記遠赤外線放射板の背面側に前記吸気口から前記排気口に至る通気路と、前記通気路に面する遮熱板が立設されるとともに前記遮熱板の表面にマイナスイオン発生塗料が塗着されており、前記ヒータの加熱で発生する空気の自然対流によって遮熱板の表面の前記マイナスイオン発生塗料から発生するマイナスイオンが本体上部の排気口から放出されることを特徴とする遠赤外線暖房器。
【請求項２】
前記マイナスイオン発生塗料が細粒化したトルマリンを主原料としてこれを溶剤に混合・分散してなることを特徴とする請求項１に記載の遠赤外線暖房器。
【発明の詳細な説明】
【０００１】
【発明の属する技術分野】
本発明は、遠赤外線を放射する遠赤外線暖房器に関する。
【０００２】
【従来の技術】
最近注目されている遠赤外線暖房器は、一般の石油ストーブや電気ストーブと比較して以下の多くの利点を備える。
【０００３】
第一に、遠赤外線の輻射熱でムラなく均一に暖めるので暖房効率が高いこと。第二に、燃焼しないので空気を汚さずクリーンで換気も加湿も不要であること。第三に、消費電力が少なく経済的であること。第四に、赤熱せず前面のガード用金網の温度も４０℃程度にしか熱くならないので、火傷、火事の心配が殆どないこと。第五に、ファンで強制的に温風を吹き出さないので運転音がなく静かであること等である。
【０００４】
例えば、図３の一部破断斜視図に示される公知の遠赤外線暖房器２０は、本願出願人が先に出願して公開された下記特許文献１に記載されているもので、床面から立設する筺体１の前面（ガード用金網１８が取り付けられている側）から熱輻射を発するように遠赤外線パネルヒータユニット２が組み込まれて図示しない電源回路と前面に配設されたスイッチ（電源スイッチ３と出力切換スイッチ４）の操作で２００Ｗ〜９００Ｗ程度の消費電力で運転される構成である。
【０００５】
上記遠赤外線パネルヒータユニット２は図３に示されるように、例えば全体が数十ｃｍ四方の長方形の薄板状（厚さ１０〜２０ｍｍ）であって、前面側から順にヒータ取り付け枠パネル５、遠赤外線放射板６、ヒータの面状発熱体７、押さえ板９を密着するように重ね合わせて縁回りをリベットで固定した構造となっている。
【０００６】
なお、図３における遠赤外線パネルヒータユニット２の背面側に立設された遮熱板１０は暖房器２０の内部に熱が籠もるのを防止するため遮熱、反射するためのものである。
【０００７】
以下、上記従来の遠赤外線暖房器２０の遠赤外線パネルヒータユニット２の各部材を説明すると、ヒータ取り付け枠パネル５はユニットの組み付け用の金属枠体である。遠赤外線放射板６には熱衝撃や機械的衝撃に強く、短時間に加熱ができて熱効率の点で優れているアルミ板にセラミックコーティングや特殊アルマイト処理を施したものが採用されている。面状発熱体７には例えば板状ニクロム線を配したマイカフィルムであり、２８０℃程度に発熱する。押さえ板９は前記遠赤外線放射板６と面状発熱体７を密着させるための金属板である。
【０００８】
前記遮熱板１０にはアルミ板若しくは熱反射率の良い金属板が用いられる。
【０００９】
【特許文献１】
特開２００２−９８３４３号公報
【００１０】
【発明が解決しようとする課題】
最近の健康志向の高まりに呼応して、悪臭の分解、殺菌、カビの発生防止、人体細胞の活性化等の健康面で効果のあるマイナスイオンの発生手段を備える電気製品が多数出現している。例えばヘアードライヤー、エアーコンディショナー、冷蔵庫、空気清浄器等である。これらに付加されたマイナスイオン発生手段は高電圧発生装置による放電によって空気をイオン化するという電気的、人工的なマイナスイオン発生手段である。
【００１１】
一方、マイナスイオンを発生する物質として焦電体（強誘電体）のトルマリン（ｔｏｕｒｍａｌｉｎｅ）が多方面から注目されている。所謂電気石と称されるトルマリンは自然にマイナスイオンを発生する天然のマイナスイオン生成物であり、これを主原料にした健康改善用品、水浄化剤、化粧品、その他の薬剤として販売されるに至っている。
【００１２】
遠赤外線暖房器においても、暖房のみでなくマイナスイオン発生手段を備えることにより、常時（特に暖房運転中）にマイナスイオンを部屋中に発生させることで前述の種々の効用が期待される。しかしながら、マイナスイオン発生手段として従来より電気製品に用いられている高電圧発生装置は未だ価格が高くコスト的に問題であり、遠赤外線暖房器のスペース面、消費電力の面でも問題である。
【００１３】
本発明は上記事情に鑑みてなされたものであり、遠赤外線暖房器の特徴を生かして効率的、低コストで良質のマイナスイオンを発生させる機能を付加した遠赤外線暖房器を提供することを目的とする。
【００１４】
【課題を解決するための手段】
本発明は、上記課題を解決するために、
（１）筺体に立設された遠赤外線放射板をヒータで加熱して遠赤外線を放射する遠赤外線暖房器において、筺体下部に吸気口、筺体上部に排気口が設けられ、前記遠赤外線放射板の背面側に前記吸気口から前記排気口に至る通気路と、前記通気路に面する遮熱板が立設されるとともに前記遮熱板の表面にマイナスイオン発生塗料が塗着されており、前記ヒータの加熱で発生する空気の自然対流によって遮熱板の表面の前記マイナスイオン発生塗料から発生するマイナスイオンが本体上部の排気口から放出されることを特徴とする遠赤外線暖房器を提供する。
（２）前記マイナスイオン発生塗料が細粒化したトルマリンを主原料とすることを特徴とする上記（１）に記載の遠赤外線暖房器を提供する。
【００１５】
【発明の実施の形態】
本発明に係る遠赤外線暖房器の実施の形態例について図面を基に詳述する。なお、本発明に係る遠赤外線暖房器における電気回路やパネルヒータユニットの構成は従来の製品と同様であるのでこれらの説明は省略し、また、前記公知の遠赤外線暖房器２０と同等部材については同符号で示してその説明を省略する。
【００１６】
図１は本発明に係る遠赤外線暖房器の構造を説明する一部遮蔽断面図である。図２は本発明に係る遠赤外線暖房器のマイナスイオン発生機構を説明する断面図である。
【００１７】
図１又は図２から判るように、本発明に係る遠赤外線暖房器３０では、筺体１に立設された遠赤外線放射板６をヒータ７で加熱して遠赤外線を放射する従来の遠赤外線暖房器２０の構成に加えて、筺体１の下部に吸気口１１、筺体の上部に排気口１２が設けられ、前記遠赤外線放射板６の背面側に前記吸気口１１から前記排気口１２に至る通気路１３と、前記通気路１３に面する遮熱板１０が立設されるとともに前記遮熱板１０の表面にマイナスイオン発生塗料１５が塗着されており、前記ヒータ７の加熱で発生する図２の破線で示される矢印のような下から上への空気の自然対流によって遮熱板１０の表面の前記マイナスイオン発生塗料１５から発生するマイナスイオン（−）が筺体１の上部の排気口１２から放出される構造になっている。
【００１８】
なお、上記マイナスイオン発生塗料１５の膜厚は適宜設定され得るものであり、また、マイナスイオン発生塗料１５は図２のように遮蔽板１０の前面側のみでもよいが、背面側にも塗着することもできる。この場合は一層多くのマイナスイオンが発生することは言うまでもない。図２では背面側にも通気路１３が設けられて背面側から発生するマイナスイオンも放出可能にしている。
【００１９】
ここに、上記マイナスイオン発生塗料１５は、細粒化した焦電体を主原料としてこれに溶剤を加えて混合・分散させてなる塗料であり、例えば細粒化したトルマリンを液体合成樹脂（シリコーン樹脂等）等と混合・分散したものである。
【００２０】
焦電体（例えばトルマリン）は自然状態でもマイナスイオンを発生しているが、特に加熱されると、その熱ストレスで空気中の自由電荷等で中和されていた自発分極が温度変化によってあらわになり、その結晶表面に分極電荷が現れる。この結果、空気中にイオン、それも多くのマイナスイオンが放出されるのである。
【００２１】
上記焦電体から放出されるマイナスイオンの大きさは電気的に発生させるマイナスイオンの大きさの約１万分の１というきめ細かい良質のものである。また、焦電体（特にトルマリン）から発生するマイナスイオンの量は前述のような加熱といった外的ストレスを加えることで飛躍的に増大する。
【００２２】
このことから本発明では、本体自体がヒータを備える遠赤外線暖房器であることから、マイナスイオン発生手段として焦電体、特にトルマリンを発生源とする手段を適用する。本実施の形態においては、新たに開発されたトルマリンを主原料とするマイナスイオン発生塗料を用いている（有限会社高橋塗装工業所製）。
【００２３】
因に、上記焦電体とは、結晶片岩、片麻岩、接触変成岩、又は花崗岩ペグマタイト等から産する三配位のホウ素をもつシクロケイ酸塩鉱物（ＳｉＯ４四面体の頂点共有による（ＳｉＯ３）６六員環陰イオンをもつ鉱物）であり、その化学組成の一般式は［ＷＸ３Ｂ３Ａｌ３（ＡｌＳｉ２Ｏ９）３（Ｏ，ＯＨ，Ｆ）４］（Ｗ＝Ｎａ，Ｃａ，Ｘ＝Ａｌ，Ｆｅ３＋，Ｌｉ，Ｍｇ，Ｍｎ２＋）で表され、代表的なものではドラバイト（Ｗ，Ｘ＝Ｎａ，Ｍｇ）、スコール（Ｗ，Ｘ＝Ｎａ，Ｆｅ）、ウバイト（Ｗ，Ｘ＝Ｃａ，Ｍｇ）、並びにエルバイト（Ｗ，Ｘ＝Ｎａ，Ｌｉ）が知られ、これらは本発明の焦電体として利用し得る。
【００２４】
特に、焦電体の一つであるトルマリン（ｔｏｕｒｍａｌｉｎｅ）は電気石とも呼ばれ、焦電性および圧電性が著しく、その圧電率は５．８×１０−８ｅｓｕ〜１．１×１０−７ｅｓｕ、分極電荷は３．２×１０−１２ｅｒｇ〜１．６×１０−１１ｅｒｇ程度である。そして、このようなトルマリン等の焦電体によれば、ヒータによって遮熱板１０とともに加熱され、その結晶表面に分極電荷を現し、空気中に多くのマイナスイオン（−）を放出するのである。
【００２５】
また、本実施の形態では、マイナスイオン発生塗料の原料の焦電体としてトルマリンを用いたが、これに代えてＢａＴｉＯ３（チタン酸バリウム）、ＴＧＳ（トリグリシンサルファイト）、又はＰＺＴ、ＰｂＴｉＯ３といったセラミックスを用いてもよい。
【００２６】
念のために付言すれば、図２の断面図から判るように、暖房運転中は、通気路１３も暖められており、自然対流が吸気口１１から排気口１２に至る通気路１３に生じている。暖められた遮熱板１０の表面のマイナスイオン発生塗料１５から放出されるマイナスイオン（−）はそのまま自然対流に乗って排気口１２から前方又は上方に放出される。而して、何ら電気的な付加装置無しに効率的且つ速やかに暖房中の部屋の隅々まで良質の天然マイナスイオン（−）で満たすことができるのである。
【００２７】
【発明の効果】
本発明に係る遠赤外線暖房器は上記のように構成されているため、暖房のみでなく、悪臭の分解、殺菌、カビの発生防止、人体細胞の活性化等の健康面で効果のある天然のマイナスイオンが暖房とともに自然対流により効率的に大量に放出されるという優れた効果を有する。
【００２８】
また、トルマリン等の焦電体を主原料とするマイナスイオン発生塗料を遮熱板に塗着する手段を用いているので、電気的マイナスイオン発生手段に比して格段に低コストであり、別途スペースを要しない。
【００２９】
遠赤外線暖房器のヒータの加熱でマイナスイオン発生塗料が暖められて熱ストレスが加えられるので、マイナスイオンの発生が飛躍的に増大し、且つヒータの加熱で生じる自然対流を利用しているので、極めて効率的なマイナスイオンの放出が実現する。
【００３０】
【図面の簡単な説明】
【図１】本発明に係る遠赤外線暖房器の一部破断斜視図である。
【図２】本発明に係る遠赤外線暖房器のマイナスイオン発生機構を説明する断面図である。
【図３】公知の遠赤外線暖房器の一部破断斜視図である。
【符号の説明】
１    筺体
２    遠赤外線パネルヒータユニット
３    電源スイッチ
４    出力切換スイッチ
５    ヒータ取り付けパネル
６    遠赤外線放射板
７    面状発熱体
９    押さえ板
１０    遮熱板
１１    吸気口
１２    排気口
１３    通気路
１５    マイナスイオン発生塗料
１８    ガード用金網
２０、３０    遠赤外線暖房器−    マイナスイオン
【図１】
2004183924.tif 000003
【図２】
2004183924.tif 000004
【図３】
2004183924.tif 000005